(57)【要約】【課題】  外部記録媒体を用いることによって、複数のユーザ（使用者）によって共有（共用）される電子機器において、共有者各人のプライバシーを確実に保護し、用途の異なる外部記録媒体の使い分けができる電子機器を提供する。【解決手段】  制御部１７０はスロットに装着されたメモリ・カード１４１に対して所定の情報を記録することにより、保護すべき個人利用情報の記憶専用の個人専用媒体を作成する。制御部１７０は、スロットに装着されたメモリ・カードが、個人専用記録媒体かそれ以外の外部記録媒体かを判別し、個人専用媒体であると判別した場合には、ＬＣＤ１０１の表示画面に、スロットに装着されたメモリ・カード１４１は、個人専用媒体であることを通知する表示を表示して使用者に通知するようにする。【選択図】図６
2005173826.tif 000002
【特許請求の範囲】
【請求項１】
外部記録媒体の装填部と、
前記挿填部に装填された外部記録媒体を、保護すべき個人利用情報の記憶専用の個人専用媒体とするための情報を記録するようにする個人専用媒体作成手段と、
前記挿填部に装填された外部記録媒体が、前記個人専用媒体か、それ以外の外部記録媒体かを判別する判別手段と、
前記判別手段により、前記挿填部に装填された外部記録媒体が、前記個人専用媒体であると判別された場合に、これを通知する通知手段と
を備えることを特徴とする外部記録媒体の利用が可能な電子機器。
【請求項２】
請求項１に記載の電子機器であって、
前記判別手段により、前記挿填部に装填された外部記録媒体が、前記個人専用媒体であると判別された場合に、前記個人専用媒体を使用するか否かの選択入力を受け付ける受付手段と、
前記受付手段を通じて、前記個人専用媒体の利用を選択する選択入力を受け付けた場合に、保護すべき個人利用情報については、前記個人専用媒体に対して書き込み／読み出しを行うようにする制御手段と
を備えることを特徴とする外部記録媒体の利用が可能な電子機器。
【請求項３】
請求項１または請求項２に記載の電子機器であって、
前記個人専用媒体に記録する保護すべき個人利用情報は、キャッシュメモリの保持情報、ネットワーク接続時に利用される情報、ネットワーク接続時に送信あるいは受信される情報、アドレス帳情報、辞書関連情報、文字サイズ情報などの主に個人的に利用される情報であることを特徴とする外部記録媒体の利用が可能な電子機器。
【請求項４】
挿填部に装填された外部記録媒体を、保護すべき個人利用情報の記憶専用の個人専用媒体とするための情報を記録するようにする個人専用媒体の作成が可能な電子機器においての外部記録媒体の利用方法であって、
前記挿填部に装填された外部記録媒体が、前記個人専用媒体か、それ以外の外部記録媒体かを判別する判別ステップと、
前記判別ステップにおいて、前記挿填部に装填された外部記録媒体が、前記個人専用媒体であると判別された場合に、これを通知する通知ステップと
を有することを特徴とする外部記録媒体の利用方法。
【請求項５】
請求項４に記載の外部記録媒体の利用方法であって、
前記判別ステップにおいて、前記挿填部に装填された外部記録媒体が、前記個人専用媒体であると判別された場合に、前記個人専用媒体を利用するか否かの選択入力を受け付ける受付ステップと、
前記受付ステップにおいて、前記個人専用媒体の利用を選択する選択入力を受け付けた場合に、保護すべき個人利用情報については、前記個人専用媒体に対して書き込み／読み出しを行うようにする制御ステップと
を有することを特徴とする外部記録媒体の利用方法。
【請求項６】
請求項４または請求項５に記載の外部記録媒体の利用方法であって、
前記個人専用媒体に記録する保護すべき個人利用情報は、キャッシュメモリの保持情報、ネットワーク接続時に利用される情報、ネットワーク接続時に送信あるいは受信される情報、アドレス帳情報、辞書関連情報、文字サイズ情報などの主に個人的に利用される情報であることを特徴とする外部記録媒体の利用方法。
【発明の詳細な説明】
【技術分野】
【０００１】
この発明は、例えば、半導体メモリなどを用いた外部記録媒体を利用することによって、複数人で共有（共用）可能な電子機器、この電子機器で用いられる外部記録媒体の利用方法に関する。
【背景技術】
【０００２】
従来、通信機能付きの電子機器において、電子メール機能やＷＷＷ（Ｗｏｒｌｄ  Ｗｉｄｅ  Ｗｅｂ）ブラウザ機能や電子掲示板機能などのネットワーク接続機能を使用するためには、ネットワーク接続のため、予め、ＩＳＰ（Ｉｎｔｅｒｎｅｔ  Ｓｅｒｖｉｃｅ  Ｐｒｏｖｉｄｅｒ；インターネットサービスプロバイダ）情報や、メールアカウントの情報を設定しておく必要がある。
【０００３】
ＩＳＰ情報としては、接続するＩＳＰのＤＮＳ（Ｄｏｍａｉｎ  Ｎａｍｅ  Ｓｙｓｔｅｍ）や、パスワード、アクセスポイントの電話番号などがある。また、電子メール機能であれば、メールアカウントの情報しては、メールユーザのアカウント情報や、ＰＯＰ（Ｐｏｓｔ  Ｏｆｆｉｃｅ  Ｐｒｏｔｏｃｏｌ）３サーバや、ＳＭＴＰ（Ｓｉｍｐｌｅ  Ｍａｉｌ  Ｔｒａｎｓｆｅｒ  Ｐｒｏｔｏｃｏｌ）サーバの情報などがある。
【０００４】
従来のネットワーク接続機能を備える電子機器においては、通常は、１つの電子機器端末は一人のユーザが使用することを想定し、上述のＩＳＰ情報やメールアカウント情報は、端末を使用する一人のユーザについての情報のみが設定される。
【０００５】
ところで、複数のユーザが、一つの電子機器のネットワーク接続機能を使用することができれば便利である場合がある。このことを、例えばメモリ・カードなどの外部記憶媒体を用いて実現したものとして、後に記す特許文献１に記載の発明がある。すなわち、この特許文献１に記載の発明においては、外部記憶媒体に、ＩＳＰ情報やユーザのメールアカウント情報などのネットワーク接続機能を使用する際に必要な情報を書き込んでおく。
【０００６】
そして、電子機器の外部記憶媒体の装填部に外部記憶媒体が装填されたときに、電子機器では、この外部記憶媒体から、ＩＳＰ情報やユーザのメールアカウント情報などのネットワーク接続機能を使用する際に必要な情報を読み出し、この読み出した前記情報を用いて、ネットワーク接続機能の送受のアクセスを実行するようにするものである。
【０００７】
この特許文献１に記載の発明によれば、予め、電子メール機能などのネットワーク接続機能を使用しようとするユーザは、電子機器にＩＳＰ情報やメールアカウント情報などの電子メールの送受信の際に必要な情報を設定しておく必要がなく、単に、外部メモリを装填部に装填するという事前操作を行うだけで、電子メール機能などのネットワーク通信機能の使用が可能になる。
【０００８】
したがって、自分用のＩＳＰ情報やメールアカウント情報などの電子メールの送受信の際に必要な情報を書き込んだ外部メモリを所持するユーザであれば、誰でも、電子機器の電子メール機能の使用が可能になる。
【０００９】
また、上述のように、ネットワーク接続機能を使用する際に必要な情報を外部記憶媒体に書き込み、その外部記憶媒体を電子機器に装填することによりネットワーク接続機能を実行することができるようにした場合において、外部記憶媒体に書き込まれた、ネットワーク接続機能を使用する際に必要な情報にセキュリティがかかっていない場合には、誰でも、その外部記憶媒体を用いて、電子メールなどのネットワーク接続機能を実行することができてしまう可能性がある。
【００１０】
このため、その外部記憶媒体を落としたり、紛失したり、また、その外部記憶媒体が盗まれたりした場合、不正にネットワーク接続機能が実行されてしまうおそれがあった。そこで、上述のようにネットワーク接続機能を使用する際に必要な情報が書き込まれた外部記憶媒体が、不正に利用されないようにするものとして、後に記す特許文献２に記載の発明がある。
【００１１】
この特許文献２に記載の発明によれば、外部記憶媒体には、鍵情報が書き込まれ、電子機器に装填されてネットワーク接続機能が実行される際に、その鍵情報が読み出されて、使用者についての認証が行なわれる。そして、認証が取れた使用者のみが、その電子機器において、その外部記憶媒体を用いた前記ネットワーク接続機能を使用できるので、鍵情報が何であるかを知らない者は、その外部記憶媒体を用いて、その電子機器において、前記ネットワーク接続機能を使用することはできず、不正使用が防止される。
【特許文献１】特開２０００−３３０９０４号公報
【特許文献２】特開２００３−２１６５０１号公報
【発明の開示】
【発明が解決しようとする課題】
【００１２】
上述したように、外部記録媒体を用いてネットワーク接続機能を使用する際に必要なデータを管理すると共に、作成した電子メールや受信した電子メールについて管理することができるようにすれば、１台の端末を複数人で共有（共用）する場合であっても、使用時においては自分専用の端末と同様の使い勝手を実現できる。また、上述もしたように、外部記録媒体についてのセキュリティ上の管理も適正に行うことができる。
【００１３】
しかしながら、外部記録媒体で管理していない情報（電子メール以外の機能）は、共有されるので、共有者各人にとって、共有する電子機器をその使用時において完全に自分専用端末として利用可能な環境を提供できないという問題がある。例えば、電子機器に搭載された辞書の学習機能や予測変換機能は、電子機器側で実現される機能であるので、使用者が誰であっても共通に働く。このため、他の共有者に自分がよく使う単語や前に使用した入力情報が見えてしまう（分かってしまう）可能性がある。
【００１４】
また、ＷＷＷブラウザの閲覧履歴情報も共通に用いられるため、他の共有者に自分が閲覧したＷｅｂページを知られたくない場合は、閲覧履歴情報の消去を意識して行うようにしなければならない。また、ＷＷＷブラウザで用いられるキャッシュメモリに記録された情報やＷＷＷサーバがユーザを識別・管理するための仕組みであるｃｏｏｋｉｅの情報についても、Ｗｅｂページの閲覧履歴情報と同様に、情報の消去を意識して行う必要がある。このため、共有者各人にとっては、情報の消去という余計な手間がかかってしまう場合もある。
【００１５】
なお、近年においては、通信ネットワークのブロードバンド化に伴って、ＡＤＳＬやＣＡＴＶインターネットなどの高速回線を通じてインターネットに接続することもできるようにされている。この場合には、従来の電話回線を通じてのインターネット接続の場合と異なりＩＳＰの電話番号等は必要なく、目的とするＡＤＳＬ網あるいはＣＡＴＶ網に接続可能な自宅などからでないと接続できない。このため、インターネットに接続するために必要になる種々の情報は、外部記録媒体にではなく電子機器本体側に設定される場合もある。
【００１６】
しかしながら、インターネットに接続するために必要になる種々の情報を電子機器本体に設定しておくようにしたとしても、送信する、あるいは、受信した電子メールや、辞書の学習機能や予測変換機能の情報など、共有者それぞれで異なることになる種々の情報は存在する。また、通信機能を備えない電子機器であっても、いわゆるワードプロセッサ機能を備えた電子機器においては、辞書機能を備えており、その電子機器を複数人に共有する場合には、よく使う字句を他の共有者に知られたくない場合も多く、まして自分が作成した文書を他の共有者に見られたくない場合もある。
【００１７】
また、外部記録媒体を用いてネットワーク接続機能を使用する際に必要なデータを管理すると共に、作成した電子メールや受信した電子メールについて管理するようにした場合、例えばバックアップなどの目的で使用されるなどの種々の情報の単なるストレージとして用いられる外部記録媒体との使い分けが問題になる。
【００１８】
この発明は、以上の点にかんがみ、外部記録媒体を用いることによって、複数のユーザ（使用者）によって共有（共用）される電子機器であって、共有者各人のプライバシーをも確実に保護することができると共に、用途の異なる外部記録媒体の使い分けを確実に行えるようにして、信頼性が高く、使い勝手のよい電子機器および外部記録媒体の利用方法を提供することを目的とする。
【課題を解決するための手段】
【００１９】
上記課題を解決するために、請求項１に記載の発明の電子機器は、
外部記録媒体の装填部と、
前記挿填部に装填された外部記録媒体を、保護すべき個人利用情報の記憶専用の個人専用媒体とするための情報を記録するようにする個人専用媒体作成手段と、
前記挿填部に装填された外部記録媒体が、前記個人専用媒体か、それ以外の外部記録媒体かを判別する判別手段と、
前記判別手段により、前記挿填部に装填された外部記録媒体が、前記個人専用媒体であると判別された場合に、これを通知する通知手段と
を備えることを特徴とする。
【００２０】
この請求項１に記載の発明の電子機器によれば、個人専用媒体作成手段によって、保護すべき個人利用情報の記憶専用の個人専用媒体が作成するようにされる。したがって、装填部に装填される外部記録媒体には、個人専用媒体と、それ以外の外部記録媒体とが存在するようにされる。
【００２１】
そして、判別手段により、装填部に装填された外部記録媒体が、個人専用記録媒体かそれ以外の外部記録媒体かが判別するようにされる。この判別手段により、個人専用媒体であると判別された場合には、通知手段により、装填部に装填された、あるいは、装填されている外部記録媒体は、個人専用媒体であることが使用者に通知される。
【００２２】
これにより、電子機器の使用者は、装填部に装填された外部記録媒体が個人専用媒体か、それ以外の外部記録媒体か明確に認識して、それらの使い分けを意識して行うことができるようにされる。そして、信頼性が高く、使い勝手のよい電子機器を実現することができるようにされる。
【００２３】
また、請求項２に記載の発明の電子機器は、請求項１に記載の電子機器であって、
前記判別手段により、前記挿填部に装填された外部記録媒体が、前記個人専用媒体であると判別された場合に、前記個人専用媒体を使用するか否かの選択入力を受け付ける受付手段と、
前記受付手段を通じて、前記個人専用媒体の利用を選択する選択入力を受け付けた場合に、保護すべき個人利用情報については、前記個人専用媒体に対して書き込み／読み出しを行うようにする制御手段と
を備えることを特徴とする。
【００２４】
この請求項２に記載の発明の電子機器によれば、装填部に装填された外部記録媒体が、個人専用媒体であると判別手段により判別され、これが通知手段により通知された場合に、その個人専用媒体を使用するか否かの選択入力が受付手段を通じて受け付けられる。そして、受付手段を通じて、個人専用媒体を使用することの選択入力が受け付けられた場合には、制御手段によって、保護すべき個人利用情報については、個人専用媒体に対して、書き込み、あるいは、読み出しが行うようにされる。
【００２５】
これにより、使用者が選択した場合にのみ、個人専用媒体が個人専用媒体として利用することができるようにされる。すなわち、個人専用媒体とそれ以外の外部記録媒体との使い分けを行うことができるようにされる。また、保護すべき個人利用情報は、個人専用媒体に対してしか書き出すことはできないし、また、必要な個人利用情報は、個人専用媒体から読み出すようにされ、電子機器のメモリには残らないようにされ、プライバシーの保護を確実に行うことができるようにされ、信頼性が高く、使い勝手のよい電子機器を実現することができるようにされる。
【００２６】
また、請求項３に記載の発明の電子機器は、請求項１または請求項２に記載の電子機器であって、
前記個人専用媒体に記録する保護すべき個人利用情報は、キャッシュメモリの保持情報、ネットワーク接続時に利用される情報、ネットワーク接続時に送信あるいは受信される情報、アドレス帳情報、辞書関連情報、文字サイズ情報などの主に個人的に利用される情報であることを特徴とする。
【００２７】
この請求項３に記載の発明の電子機器によれば、キャッシュメモリの保持情報、ネットワーク接続時に利用される情報、ネットワーク接続時に送信あるいは受信される情報、アドレス帳情報、辞書関連情報、文字サイズ情報など、同じ電子機器の共有（共用）者に呈しては見られたくない、あるいは、使われたくない主に個人的に利用される情報が個人専用媒体に記録保持されると共に、読み出して利用することができるようにされる。
【００２８】
上述のような個人的に利用される情報は、個人専用媒体でのみ管理されるので、電子機器の共有者に見られたり、使用されたりすることを防止し、プライバシーの保護を確実にして、信頼性が高く、使い勝手のよい電子機器を実現することができるようにされる。
【発明の効果】
【００２９】
以上説明したように、この発明によれば、個人的にも利用される個人専用媒体と、それ以外の外部記録媒体との使い分けを確実に行うことができるようにされる。また、外部記録媒体を用いることで、１台の電子機器を複数の共有（共用）者によって共有した場合であっても、自分だけの専用電子機器として、その電子機器を使えるようにすることができる。
【００３０】
また、保護が必要な個人的に利用される情報を確実に保護し、プライバシーの保護を確実に行うようにすることができる。また、保護が必要な個人的に利用される情報は、個人専用媒体でのみ管理するようにされ、電子機器側には、個人的に利用される情報が残ることが無いので、個人的に利用される情報を電子機器側のメモリから削除するようにするなどの面倒な操作を行うことなく、使い勝手のよい電子機器を実現できる。
【発明を実施するための最良の形態】
【００３１】
住宅内などの限られたエリア内で構築される無線ＬＡＮ（Ｌｏｃａｌ  Ａｒｅａ  Ｎｅｔｗｏｒｋ）システムの一種として、テレビ放送の受信用のチューナが内蔵または接続され、モデムを介して電話回線が接続されるなど、情報ソースとして機能するベース装置と、このベース装置との間の無線通信によって、ベース装置に対してコマンドを発行して、ベース装置からテレビの画像を受信し、ベース装置を介してインターネット上の情報を受信して、ディスプレイ上に画像や情報を表示し、ベース装置を介して電子メールを送受信するモニタ装置とからなるシステムが考えられる。
【００３２】
以下、この発明を上記のシステムのモニタ装置に適用した場合を例に挙げて、この発明の一実施形態を示す。以下に示す実施形態においては、外部記憶媒体としては、メモリースティック（登録商標）、スマートメディア（登録商標）、マルチメディアカード（登録商標）、コンパクトフラッシュ（登録商標）などのメモリ・カードを用いるものである。
【００３３】
（モニタ装置およびベース装置の概略構成：図１〜図４）
図１は、モニタ装置の一例の概略構成を示し、図２および図３は、ベース装置の一例の概略構成を示し、図４は、モニタ装置をスタンドによって自立させた状態を示す。
【００３４】
図１に示すように、モニタ装置１００の正面には、ＬＣＤ（液晶ディスプレイ）１０１が設けられ、その表示画面上には、タッチパネル１０３が設けられ、ＬＣＤ１０１の左右位置には、上部にスピーカ１０５，１０６が設けられ、下部に後述のベース装置２００との間の無線通信用のパッチアンテナ１０７，１０８が設けられる。
【００３５】
一方のパッチアンテナ１０７は、モニタ装置１００の前方側に半球面状の放射パターンを形成するものとされ、他方のパッチアンテナ１０８は、逆にモニタ装置１００の後方側に半球面状の放射パターンを形成するものとされて、各パッチアンテナ１０７，１０８の受信レベル情報に基づいて実際に送信および受信を行うパッチアンテナが選択されることによって、パッチアンテナ１０７，１０８全体として、全球面状の放射パターンを有するアンテナが形成されて、モニタ装置１００とベース装置２００との位置関係の如何にかかわらず、モニタ装置１００とベース装置２００との間の無線通信が良好に行われるように構成される。
【００３６】
モニタ装置１００の正面の右側部分には、スピーカ１０６の下側に、インデックスボタン１１１、ジャンプボタン１１２、およびチャンネルボタン１１３，１１４が設けられ、正面の左側部分には、スピーカ１０５の下側に、充電ランプ（ＬＥＤ）１１５、およびメール自動送受信ランプ（ＬＥＤ）１１６が設けられる。
【００３７】
インデックスボタン１１１は、これを押すことによって、ＬＣＤ１０１上に図示するようなインデックス画面を表示するものであり、ユーザは、タッチペンまたは指で、いずれかのメニューにタッチすることによって、テレビの選局、ベース装置２００に接続された外部機器の操作、インターネットへのアクセス、メールの作成・送信、アルバムの表示・作成などを行うことができる。
【００３８】
ジャンプボタン１１２は、これを押すことによって、一つ前に受信していたチャンネルを受信することができるものであり、チャンネルボタン１１３は、これを押すことによって、ＬＣＤ１０１上に表示される操作画面が、テレビ→外部機器→インターネット→メール→アルバム→テレビの順に切り換えられるものであり、チャンネルボタン１１４は、これを押すことによって、ＬＣＤ１０１上に表示される操作画面が、上記の順とは逆の順に切り換えられるものである。
【００３９】
アルバムとは、デジタルカメラで撮影してメモリースティック（登録商標）などのメモリ・カードに記録した画像を、ＬＣＤ１０１上に表示し、ＬＣＤ１０１上で加工し、ＬＣＤ１０１上で作成したメールに添付し、加工後にモニタ装置１００内またはメモリ・カードに保存し、あるいは、テレビの画像を静止画として、またはメールで受信した画像やインターネット上で取得した画像などを、モニタ装置１００内またはメモリ・カードに保存し、ＬＣＤ１０１上で加工し、ＬＣＤ１０１上で作成したメールに添付し、あるいは、モニタ装置１００内またはメモリ・カードに保存されている画像をインターネット上にアップロードするなどである。
【００４０】
画像の加工としては、画像の色や明るさなどを変え、手書き入力によって画像に文字や絵などを加えることができる。
【００４１】
モニタ装置１００の上面には、タッチペン１１９が収納される溝部１２１、スタンバイランプ（ＬＥＤ）１２２、電源ボタン１２３、回線ランプ（ＬＥＤ）１２４、回線切断ボタン１２５、印刷ボタン１２６、消音ボタン１２７、音量増強ボタン１２８、および音量低減ボタン１２９が設けられる。
【００４２】
モニタ装置１００の左側面には、ＬＣＤ１０１の明るさを調整する摘み１３１、ヘッドホン接続用の端子１３２、ＵＳＢ（Ｕｎｉｖｅｒｓａｌ  Ｓｅｒｉａｌ  Ｂｕｓ）端子１３３、キーボード接続用の端子１３４、およびＡＣパワーアダプタ接続用の端子１３５が設けられる。
【００４３】
モニタ装置１００の右側面には、メモリ・カード１４１が装着（装填）されるスロット１４２、およびメモリ・カード用のランプ（ＬＥＤ）１４３が設けられ、モニタ装置１００の底面には、充電端子１５１，１５２が設けられる。
【００４４】
モニタ装置１００の背面には、モニタ装置１００の把持用の手掛け部１６１が設けられるとともに、モニタ装置１００を自立させるためのＵ形のスタンド１６３が開閉可能に取り付けられ、図では省略したが、スタンド１６３で囲まれる部分にバッテリ収納部が設けられ、これにバッテリが収納される。
【００４５】
図２に示すように、ベース装置２００は、正面部２１０と後方部２２０を接合して一体化した構造とされ、正面部２１０の左右位置には、モニタ装置１００との間の無線通信用のパッチアンテナ２０７，２０８が設けられる。
【００４６】
モニタ装置１００のパッチアンテナ１０７，１０８と同様に、一方のパッチアンテナ２０７は、ベース装置２００の前方側に半球面状の放射パターンを形成するものとされ、他方のパッチアンテナ２０８は、逆にベース装置２００の後方側に半球面状の放射パターンを形成するものとされて、各パッチアンテナ２０７，２０８の受信レベル情報に基づいて実際に送信および受信を行うパッチアンテナが選択されることによって、パッチアンテナ２０７，２０８全体として、全球面状の放射パターンを有するアンテナが形成されて、ベース装置２００とモニタ装置１００との位置関係の如何にかかわらず、ベース装置２００とモニタ装置１００との間の無線通信が良好に行われるように構成される。
【００４７】
正面部２１０は、後方側に傾いたものとされ、その中央下部に、モニタ装置１００をベース装置２００に立て掛けるための支持体２１１が設けられ、支持体２１１の内側に、充電端子２０１，２０２が設けられ、支持体２１１の表面に、電源ランプ（ＬＥＤ）２０４が設けられ、正面部２１０の中央に、回線ランプ（ＬＥＤ）２０５が設けられる。
【００４８】
また、図３に示すように、後方部２２０の下部背面には、電源ボタン２３１、ＡＣパワーアダプタ接続用の端子２３２、ＶＨＦ／ＵＨＦ端子２３９、回線端子２４１、ＡＤＳＬモデムやＣＡＴＶモデムなどの接続用のイーサネット（登録商標）端子２４２、ＡＶマウス接続用の端子２４３，２４４、Ｓ映像入力端子２４５、映像音声入力端子２４６，２４７、映像音声出力端子２４８、およびプリンタ接続用のＵＳＢ端子２４９などが設けられる。
【００４９】
上述したモニタ装置１００およびベース装置２００では、ユーザは、ベース装置２００を居間などの場所に固定的に配置し、モニタ装置１００を住居内や庭などの任意の場所に持ち運んで、任意の場所で手元のモニタ装置１００によって、テレビ放送を受信し、インターネットにアクセスし、電子メールを送受信するなどの機能を実行することができる。
【００５０】
この場合、モニタ装置１００を手に持って使用することもできるが、図４に示すように、スタンド１６３を開いて、モニタ装置１００を適当な面上に適当な傾斜角で自立させることもできる。
【００５１】
また、モニタ装置１００をベース装置２００の正面部２１０に立て掛けて使用することもできる。この場合、モニタ装置１００の底面の充電端子１５１，１５２が、ベース装置２００の支持体２１１の内側の充電端子２０１，２０２に接触し、接続されることによって、モニタ装置１００に装着されたバッテリを、ベース装置２００によって充電することができる。
【００５２】
（ベース装置およびモニタ装置の機能ブロック構成：図５および図６）
図５は、ベース装置２００の機能ブロック構成の一例を示す。制御部２７０は、ＣＰＵ２７１、ＣＰＵ２７１が実行すべきプログラムや固定データなどが書き込まれたＲＯＭ２７２、およびＣＰＵ２７１のワークエリアなどとして機能するＲＡＭ２７３によって構成される。
【００５３】
ＶＨＦ／ＵＨＦ端子２３９には、ＶＨＦ／ＵＨＦアンテナ１が接続され、ＶＨＦ／ＵＨＦアンテナ１で受信された地上波テレビ放送信号が、ベース装置２００内のＶＨＦ／ＵＨＦチューナ２５９で選局復調され、さらに映像データおよび音声データに変換された上で、バス２７４に送出される。
【００５４】
回線端子２４１には、電話回線２が接続され、回線端子２４１は、回線インタフェース２６１およびモデム２６２を介してバス２７４に接続される。
【００５５】
映像音声入力端子２４６には、第１外部機器６として、例えばデジタルＣＳチューナやデジタルＢＳチューナなどが接続され、これからの映像データおよび音声データが、ベース装置２００内の外部入力インタフェース２６６を介して、バス２７４に送出される。
【００５６】
映像音声入力端子２４７には、第２外部機器７として、例えばＤＶＤプレーヤやハードディスクレコーダなどが接続され、これからの映像データおよび音声データが、ベース装置２００内の外部入力インタフェース２６７を介して、バス２７４に送出される。
【００５７】
端子２４３および２４４には、ＡＶマウス３および４が接続されるとともに、端子２４３および２４４は、ベース装置２００内のインタフェース２６３および２６４を介してバス２７４に接続され、制御部２７０からのコマンド信号によってＡＶマウス３および４の発光部から送出された赤外線遠隔操作信号が、第１外部機器６および第２外部機器７に設けられた受光部で受信されることによって、第１外部機器６および第２外部機器７が操作される。
【００５８】
ＵＳＢ端子２４９には、プリンタ９が接続され、バス２７４に送出された印刷用のコマンドおよびデータが、ＵＳＢインタフェース２６９を介してプリンタ９に供給される。
【００５９】
バス２７４には、無線通信部２８０が接続され、モニタ装置１００に送信されるべき各種のデータやコマンドが、無線通信部２８０において、所定の変調方式（例えばＤＳ−ＳＳ）で変調され、所定周波数帯（例えば２．４ＧＨｚ帯）の高周波信号に変換されて、パッチアンテナ２０７，２０８からモニタ装置１００に送信されるとともに、モニタ装置１００から送信されたコマンドや各種のデータが、パッチアンテナ２０７，２０８で受信され、無線通信部２８０において、周波数変換され、復調されて、バス２７４に送出される。
【００６０】
図６は、モニタ装置１００の機能ブロック構成の一例を示す。制御部１７０は、ＣＰＵ１７１、ＣＰＵ１７１が実行すべき後述のスライドショー設定処理ルーチンおよびスライドショー表示処理ルーチンを含むプログラムや固定データなどが書き込まれたＲＯＭ１７２、およびＣＰＵ１７１のワークエリアなどとして機能するＲＡＭ１７３によって構成される。
【００６１】
バス１７４には、画像ファイルなどが書き込まれるユーザメモリ１７５が接続されるとともに、図１に示したスロット１４２にメモリ・カード１４１が装着されることによって、メモリ・カード１４１が接続される。
【００６２】
バス１７４には、無線通信部１８０が接続され、ベース装置２００に送信されるべきコマンドや各種のデータが、無線通信部１８０において、所定の変調方式で変調され、所定周波数帯の高周波信号に変換されて、パッチアンテナ１０７，１０８からベース装置２００に送信されるとともに、ベース装置２００から送信された各種のデータやコマンドが、パッチアンテナ１０７，１０８で受信され、無線通信部１８０において、周波数変換され、復調されて、バス１７４に送出される。
【００６３】
バス１７４には、表示制御部１９１を介してＬＣＤ１０１が接続されるとともに、Ｄ／Ａコンバータ１９５および音声増幅回路１９６を介してスピーカ１０５，１０６が接続される。
【００６４】
また、タッチパネル１０３が、座標検出部１９３を介してバス１７４に接続されるとともに、図１に示したインデックスボタン１１１などを含む操作部１０９が、インタフェース１９９を介してバス１７４に接続される。
【００６５】
（モニタ装置１００の各種機能の起動：図７〜図８）
上述したモニタ装置１００では、以下に示すように、図１のＬＣＤ１０１の画面に示したインデックス画面から、各種の機能を指定するボタンをタッチペン１１９や指で操作して選択することにより、その指定した機能を実行することができる。
【００６６】
図７および図８は、これら各種の機能を起動するための処理ルーチンを説明するためのフローチャートである。このフローチャートの各ステップは、モニタ装置１００の制御部１７０が実行するものである。
【００６７】
例えばテレビ放送の受信画面などをＬＣＤ１０１の画面に映出している場合において、例えばインデックスボタン１１１を押す、などのインデックス画面を表示するための操作がなされたか否かを判別する（ステップＳ１０１）。インデックス画面を表示するための操作がなされないと判別したときには、そのときの画面モードを継続する（ステップＳ１０２）。そして、インデックス画面を表示するための操作がなされたと判別したときには、図１に示すようなインデックス画面を表示する（ステップＳ１０３）。
【００６８】
次に、インデックス画面に表示される機能ボタンのいずれかの選択入力を待ち（ステップＳ１０４）、選択入力がなされたと判別したときには、いずれが選択されたか判別する（ステップＳ１０５）。
【００６９】
このステップＳ１０５で、「設定」が選択されたと判別したときには、後述する図８の設定の処理ルーチンに移行する。また、その他の機能が選択されたと判別したときには、選択された当該機能の処理ルーチンを実行して（ステップS１０６）、インデックス画面が表示される前の画面モードに戻す（ステップＳ１０７）。この後、ステップＳ１０１に戻り、インデックス画面を表示するための操作の有無を監視する。
【００７０】
ステップＳ１０５で、「設定」が選択されたと判別したときには、図８に示す処理に進み、設定一覧画面をＬＣＤ１０１の画面に表示する（ステップＳ１１１）。そして、この設定一覧画面で「メモリ・カード」が選択されたか否か判別し（ステップＳ１１２）、「メモリ・カード」が選択されなかったときには、モニタ装置１００本体についての設定のルーチンに移行し（ステップＳ１１３）、このルーチンの終了後は、ステップＳ１１７に進み、インデックス画面が表示される前の画面モードに戻す（ステップＳ１１７）。そして、インデックス画面が表示される前の画面モードに戻した後には、図７に示したステップＳ１０１に戻り、インデックス画面を表示するための操作の有無を監視する。
【００７１】
ステップＳ１１２で、「メモリ・カード」が選択されたと判別したときには、メモリ・カード１４１が装着されているか否か判別し（ステップＳ１１４）、装着されていなければ、メモリ・カード１４１の装着を促すメッセージを表示する（ステップＳ１１５）。そして、設定中止の操作がなされたか否か判別し（ステップＳ１１６）、設定中止の操作がなされなかったと判別したときには、ステップＳ１１４に戻り、メモリ・カード１４１の装着を再チェックする。
【００７２】
ステップＳ１１６で、設定中止の操作がなされたと判別したときには、ステップＳ１１７に進み、インデックス画面が表示される前の画面モードに戻す。そして、インデックス画面が表示される前の画面モードに戻した後には、図７に示したステップＳ１０１に戻り、インデックス画面を表示するための操作の有無を監視する。
【００７３】
次に、ステップＳ１１４で、メモリ・カードが装着済みであると判別したときには、メモリ・カードについての設定ルーチンを実行し（ステップS１１８）、この後に、図７に示したステップＳ１０１に戻り、インデックス画面を表示するための操作の有無を監視することになる。
【００７４】
そして、以下に説明するように、この実施形態のモニタ装置１００の制御部１７０は、メモリ・カード１４１が装着されると、そのメモリ・カードの内容を読み取り、そのメモリ・カードがメモリースティック（登録商標）と呼ばれるソニー株式会社が開発した小型メモリ・カードか、それ以外のメモリ・カードかを区別することができるようにしている。
【００７５】
さらに、メモリースティックを用いる場合には、電子メールのアカウント情報、受信した電子メールや作成した電子メール、その他の個人的に利用される種々の情報が記録され、それらの情報が他に洩れることがないように、安全性の高い管理（セキュアな管理）が要求される特別なメモリースティックと、単なるストレージとして利用される通常のメモリースティックとを使い分けることができるようにしている。
【００７６】
そして、特別なメモリースティックも通常のメモリースティックもハードウエア的な構成に変わるところはないが、特別なメモリースティックとして用いるメモリースティックに対しては、特別なメモリースティックとして用いるようにするために、所定の情報を記録するようにするなどの所定の処理が施すようにされ、この所定の処理が施されたメモリースティックについては、使用の開始や終了を使用者指示して、より安全性高く、記録された情報を管理することができるようにしている。
【００７７】
図８のステップS１１８において実行されるメモリ・カードの設定ルーチンにおいては、特別なメモリースティックを作成したりするなどのメモリ・カードについての種々の設定処理を行うことができるようにしている。
【００７８】
なお、以下においては、電子メールのアカウント情報や電子メールに代表される保護すべき個人的に利用される情報が記録され、安全性高く管理すべき特別なメモリースティックをミーメール＋あるいはミーメール＋（プラス）、あるいは、ミーメール＋のメモリースティックと示すこととする。すなわち、ミーメール＋（ミーメール＋（プラス））は、電子メールやその他の個人的に利用される重要情報を記録する特別なメモリースティック（個人専用媒体）を意味するものである。
【００７９】
（メモリ・カードの設定処理；図９〜図１５、図１６〜図２５）
次に、図８のステップS１１８のメモリ・カードに対して種々の設定処理を行うメモリ・カードの設定ルーチンを図９〜図１５のフローチャートと、図１６〜図２５の画面レイアウトとを参照しながら説明する。なお、以下に説明するように、図９は、メモリ・カードの設定ルーチンを説明するためのフローチャートであり、図１０、図１１は、図９のステップS１２２で実行されるミーメール＋未作成媒体設定ルーチンを、図１２、図１３、図１４は、図９のステップS１２４で実行されるミーメール＋作成済媒体設定ルーチンを、図１５は、図９のステップS１２５で実行される外部メモリ設定ルーチンを説明するためのフローチャートである。
【００８０】
まず、図９に示したメモリ・カードの設定ルーチンについて説明する。上述したように、設定一覧表示画面からメモリ・カードの設定が選択され、メモリ・カードがこの実施の形態のモニタ装置１００にメモリ・カードが装着されている場合には、モニタ装置１００の制御部１７０は、図９に示すメモリ・カードの設定ルーチンを実行する。
【００８１】
まず、制御部１７０は、自機のスロット１４２に装着されたメモリ・カード１４１の情報を参照し、当該メモリ・カード１４１は、ミーメール＋として作成されていない、すなわち、ミーメール＋未作成のメモリースティックか否かを判断する（ステップＳ１２１）。すなわち、ミーメール＋として作成されたメモリースティックの場合には、所定のフラグが立てられ、あるいは、電子メールのアカウント情報などの所定の情報が記録されているので、それらの情報を参照することにより、ミーメール＋未作成のメモリースティックか否かを判断することができる。
【００８２】
ステップＳ１２１の判断処理において、自機に装着されているのは、ミーメール＋未作成のメモリースティックであると判断したときには、制御部１７０は、ミーメール＋未作成媒体設定ルーチンを実行し（ステップＳ１２２）、この後、図９に示すメモリ・カード設定ルーチンを終了する。ステップＳ１２１の判断処理において、自機に装着されているメモリ・カード１４１は、ミーメール＋未設定のメモリースティックでないと判断したときには、メモリ・カード１４１は、ミーメール＋作成済メモリースティックか否かを判断する（ステップＳ１２３）。
【００８３】
このステップＳ１２３もまた、ステップＳ１２１の判断処理の場合と同様に、自機のスロット１４２に装着されたメモリ・カード１４１の情報を参照し、ミーメール＋設定済みを示すフラグが立っているか、あるいは、電子メールのアカウント情報などの所定の情報が記録されているか否かを判断することにより、ミーメール＋作成済メモリースティックか否かを判断する。
【００８４】
ステップＳ１２３の判断処理において、自機に装着されたメモリ・カードは、ミーメール＋作成済のメモリースティックであると判断したときには、制御部１７０は、ミーメール＋作成済媒体設定ルーチンを実行し（ステップＳ１２４）、この後、図９に示すメモリ・カード設定ルーチンを終了する。
【００８５】
また、ステップＳ１２３の判断処理において、自機に装着されたメモリ・カードは、ミーメール＋作成済のメモリースティックではないと判断したときには、制御部１７０は、自機に装着されたメモリ・カード１４１は、メモリースティック以外のメモリ・カードであると判断し、メモリースティック以外の外部メモリ・カードについての設定ルーチン（外部メモリ設定ルーチン）を実行し（ステップＳ１２５）、この後、図９に示す処理を終了する。
【００８６】
このように、この実施の形態のモニタ装置１００においては、メモリースティックとそれ以外のメモリ・カードとを区別し、さらに、メモリースティックの場合には、ミーメール＋の記録媒体（特別なメモリースティック）とされていないメモリースティックと、ミーメール＋の記録媒体（特別なメモリースティック）とされているメモリースティックとを区別し、そのそれぞれに対して適切な設定処理を行うことができるようにしている。以下、図９に示したメモリ・カード設定ルーチンのステップＳ１２２、ステップＳ１２４、ステップＳ１２５のそれぞれにおいて実行される処理について説明する。
【００８７】
（ミーメール＋（プラス）未作成媒体設定ルーチンについて）
まず、図９に示したメモリ・カード設定ルーチンのステップＳ１２２において行われるミーメール＋未作成媒体設定ルーチンについて説明する。図１０、図１１は、図９のステップＳ１２２で実行されるミーメール＋未作成媒体設定ルーチンを説明するためのフローチャートである。
【００８８】
この実施の形態のモニタ受像機１００の制御部１７０は、自機に装着されたメモリ・カード１４１が、ミーメール＋未作成メモリースティックである場合には、そのメモリースティック（通常のメモリースティック）をミーメール＋のメモリースティックとする処理（ミーメール＋作成処理）と、メモリースティックの初期化との２つの処理だけが実行可能な図１６に示すメモリ・カード設定画面を表示する（ステップＳ２０１）。
【００８９】
ステップＳ２０１で表示されるメモリ・カード設定画面は、図１６に示すように、本来、（１）ミーメール＋（プラス）作成、（２）ミーメール＋（プラス）パスワードの有効／無効、（３）ミーメール＋（プラス）パスワードの変更、（４）初期化の４つの選択項目を有するものである。
【００９０】
しかし、ミーメール＋未作成メモリースティックの場合には、ミーメール＋作成済メモリースティックの場合とは異なり、（２）ミーメール＋（プラス）パスワードの有効／無効、（３）ミーメール＋（プラス）パスワードの変更を行うことはありえないので、（１）ミーメール＋（プラス）作成、（４）初期化の２項目のみの選択が可能なメモリ・カード設定画面がステップＳ２０１において表示される。
【００９１】
また、メモリ・カード設定画面の右下端部には、インデックス画面への遷移の指示を受け付ける設定一覧アイコン１１と、メモリ・カード設定画面を子画面表示とし、例えば、テレビ放送番組の画像や外部機器からの画像を親画面に表示するようにするための子画面アイコン１２とが表示され、そのそれぞれのアイコンに対する入力が受け付けられる。
【００９２】
そして、制御部１７０は、使用者からの選択入力を受け付け（ステップＳ２０２）、設定一覧アイコン１１の選択（設定アイコン１１に対する操作）を受け付けたか否かを判断する（ステップＳ２０３）。ステップＳ２０３の判断処理において、設定一覧アイコン１１が選択されたと判断したときには、制御部１７０は、この図１０、図１１に示すミーメール＋未作成媒体処理を終了し、設定一覧、すなわちインデックス画面を表示し、目的とする処理項目を選択することができるようにされる。
【００９３】
ステップＳ２０３の判断処理において、設定一覧アイコン１１は選択されていないと判断したときには、制御部１７は、図１６に示しメモリ・カード設定画面において、（１）ミーメール＋作成が選択されたか否かを判断する（ステップＳ２０４）。ステップＳ２０４の判断処理において、（１）ミーメール＋（プラス）作成が選択されたと判断したときには、制御部１７０は、図１７に示すミーメール＋（プラス）についての説明画面を表示し（ステップＳ２０５）、使用者からの操作入力を受け付ける（ステップＳ２０６）。
【００９４】
図１７に示したミーメール＋（プラス）についての説明画面においては、その最下段に示すように、ミーメール＋のメモリースティックの作成処理を進めるようにするための「進む」アイコン１３、ミーメール＋のメモリースティックの作成処理をやめるように指示するための「やめる」アイコン１４が表示され、「進む」アイコン１３、「やめる」アイコン１４の選択入力を受け付けるようにしている。
【００９５】
そして、受け付けた操作入力が「進む」アイコン１３が選択（操作）されたか否かを判断する（ステップＳ２０７）。ステップＳ２０７の判断処理において、「進む」アイコン１３は選択されていないと判断したときには、制御部１７０は、ステップＳ２０１からの処理を繰り返すようにする。
【００９６】
ステップＳ２０７の判断処理において、制御部１７０は、「進む」アイコン１３が選択されたと判断したときには、制御部１７０は、図１８に示すミーメール＋（プラス）の作成画面を表示し（ステップＳ２０８）、使用者からの操作入力を受け付ける（ステップＳ２０９）。ミーメール＋（プラス）の作成画面は、図１８に示したように、データの引継ぎをも含むミーメール＋（プラス）の作成と、まったく新規のミーメール＋（プラス）の作成とを行うことができるようにしている。
【００９７】
ここで、データの引継ぎをも含むミーメール＋（プラス）の作成は、モニタ受像機１００に装着されたメモリースティックをミーメール＋（プラス）のメモリースティックとすると共に、現状において、モニタ受像機１００の制御部１７０のＲＡＭ１７３などに記憶されている受信した電子メールなどの自己の情報を今回作成したミーメール＋（プラス）のメモリースティックにコピーする処理をも行うものである。また、新規のミーメール＋（プラス）の作成は、まったく新規にミーメール＋（プラス）のメモリースティックを作成するものである。
【００９８】
また、図１８において、ミーメール＋（プラス）の作成画面の最下段に示したように、ミーメール＋（プラス）の作成画面においては、ミーメール＋（プラス）の作成を指示された方法で行うようにするための「ＯＫ」アイコン１５と、ミーメール＋（プラス）の作成を止めるようにするための「やめる」アイコン１６とが設けられ、これらを選択することができるようにしている。
【００９９】
そして、この実施の形態のモニタ受像機１００の制御部１７０は、使用者から受け付けた操作入力は、「ＯＫ」アイコン１５に対する入力操作か否かを判断する（ステップＳ２１０）。ステップＳ２１０の判断処理において、「進む」アイコン１５は操作されていないと判断したときには、「やめる」アイコンが操作されたと判断し、制御部１７０は、ステップＳ２０１からの処理を繰り返す。
【０１００】
ステップＳ２１０の判断処理において、「ＯＫ」アイコン１５が操作されたと判断したときには、作成は本体情報のコピーをも含むものか否かを判断する（ステップＳ２１１）。ステップＳ２１１の判断処理において、本体情報のコピーをも含むミーメール＋（プラス）の作成を指示するものであると判断したときには、制御部１７０は、スロット１４２に装着されているメモリースティックに必要なフラグを立てるなどの処理を行って、当該メモリースティック１４１をミーメール＋（プラス）にすると共に、モニタ受像機１００のＲＡＭ１７３などに保持されている個人的に利用される情報をスロット１４２に装着されたメモリースティックにコピーし（ステップＳ２１２）、終了メッセージを表示して（ステップＳ２１３）、ステップＳ２０１からの処理を繰り返すようにする。
【０１０１】
また、ステップＳ２１１の判断処理において、新規のミーメール＋（プラス）の作成を指示するものであると判断したときには、制御部１７０は、図２０に示すホーム設定画面、図２１に示すメール基本設定画面を順次に表示して、使用者からの情報の入力を受け付け、受け付けた情報をスロット１４２に装着されているメモリースティックに記録すると共に、必要なフラグを立てるなどの処理を行って、当該メモリースティック１４１をミーメール＋（プラス）にし（ステップＳ２１４）、終了メッセージを表示して（ステップＳ２１５）、ステップＳ２０１からの処理を繰り返すようにする。
【０１０２】
なお、図２０に示したホーム設定画面は、インターネットに接続し、ブラウザを用いてＷｅｂページを閲覧する場合に必要になる情報を設定するためのものであり、図２０に示したように、文字サイズ、最初にアクセスするホームページ（Ｗｅｂページ）、Ｊａｖａ（登録商標）Ｓｃｒｉｐｔの有効／無効、Ｆｌａｓｈコンテンツを見るか否か、Ｊａｖａ（登録商標）Ａｐｐｌｅｔの有効／無効、キャッシュの消去、ｃｏｏｋｉｅの消去、パスワード（図においてはＰＷと記載）の消去のそれぞれの設定を行うためのものである。
【０１０３】
この図２０において設定可能な情報は、他人に見られたくない情報、あるいは、他人に見られたくない情報の処理についての保存情報である。図２０において設定可能な情報以外にも、インターネットに接続してＷｅｂページを閲覧するために設定が必要な情報、例えば、ＡＤＳＬやＣＡＴＶ網を通じての接続か、電話回線を通じての接続かなどの接続経路についての情報などの設定も必要になるがそれらの情報は、モニタ受像機１００側に設定するようにされる。すなわち、個人的に利用される情報として確実に保護すべき情報をミーメール＋のメモリースティックに記憶保持するようにしている。
【０１０４】
また、図２１に示したメール基本設定画面は、電子メールの送信、受信を行う場合に必要になる情報を設定するためのものであり、図２１に示したように、使用者の名前、メールアドレス、メールアカウント、パスワード、ＰＯＰ３サーバ名、ＳＭＴＰサーバ名、受信メールの保存の有無、新着メールの確認周期、文字サイズのそれぞれの設定を行うためのものである。このメール基本設定画面において、設定可能な情報もまた、個人情報として確実に保護すべき情報であり、これらの情報がミーメール＋のメモリースティックに設定するようにしている。
【０１０５】
また、ステップＳ２１４において用いられるホーム設定画面（図２０）、メール基本設定画面（図２１）においても、「ＯＫ」アイコン１５、「やめる」アイコン１６が表示され、使用者が入力した情報を画面上で確認し、「ＯＫ」アイコン１５を選択した場合に、入力情報のメモリースティックへの書き込みを行い、「やめる」アイコン１６が選択された場合には、ミーメール＋（プラス）の新規作成処理を中止することもできるようにされる。このようにして、ミーメール＋未設定メモリースティックに対しては、これをミーメール＋（プラス）のメモリースティックとすることができるようにされる。
【０１０６】
一方、使用者により選択された項目は、ステップＳ２０４の判断処理において、ミーメール＋（プラス）の作成は指示されていないと判断した場合には、制御部１７０は、初期化が指示されたか否かを判断する（ステップＳ２１６）。このステップＳ２１６の判断処理において、初期化も指示されていないと判断したときには、制御部１７０は、ステップＳ２０１からの処理を繰り返し、再度、メモリ・カード設定画面を介したユーザの選択入力を行うようにする。
【０１０７】
ステップＳ２１６の判断処理において、初期化が指示されたと判断したときには、制御部１７０は、図１９に示すメモリースティック初期化画面を表示し（ステップＳ２１７）、初期化を行うか否かの選択入力を受け付けると共に、「ＯＫ」アイコン１７、「やめる」アイコン１８、「切換え」アイコン１９を通じての操作を受け付けるようにする（ステップＳ２１８）。
【０１０８】
そして、制御部１７０は、「ＯＫ」アイコンが選択されたか否かを判断する（ステップＳ２１９）。ステップＳ２１９の判断処理において、「ＯＫ」アイコン１５が選択されたと判断したときには、現在装着されているメモリースティック１４１の初期化を実行し（ステップＳ２２０）、その結果を通知して（ステップＳ２２１）、図１０に示すステップＳ２０１からの処理を繰り返すようにする。
【０１０９】
また、図１９に示したメモリースティック初期化画面において、「切換え」アイコン１９を選択することにより、メモリースティック以外のメモリ・カードの初期化を行うように処理を切り換えることができるようにされる。なお、説明を簡単にするため、初期化するメモリ・カードの切り換え処理については、図１０、図１１のフローチャートにおいては省略している。
【０１１０】
このように、自機に装着されたメモリ・カードがミーメール＋（プラス）未作成のメモリースティックである場合には、当該メモリースティックをミーメール＋（プラス）のメモリースティックとする処理（ミーメール＋作成処理）と、メモリースティックの初期化処理とのいずれかを行うことができるようにされる。そして、ミーメール＋（プラス）されたメモリースティックは、電子メールに代表される個人的に利用される情報であって、保護する必要のある情報については、全てミーメール＋（プラス）のメモリースティックに記録し、詳しくは後述もするが、通常のメモリースティックと異なった管理を行うようにして、記録情報に対する安全性を高めることができるようにしている。
【０１１１】
なお、個人的に利用される情報の内、ミーメール＋（プラス）のメモリースティックに記録される情報は、電子メール、電子メールのアカウント設定情報、アドレス帳、その他のメールアプリケーションの全て、および、インターネット関連のパスワード、ブックマークの登録情報、保存するようにしたＷｅｂページ、アクセス履歴、キャッシュやｃｏｏｋｉｅの情報、さらに、テレビ放送視聴時やインターネット利用時などにおいてキャプチャするようにした画像情報、また、辞書情報（学習履歴や予測情報などを含む）、文字サイズ情報などの複数人で共有（共用）する場合に、使用者毎に異なる可能性があり、他の共有者にあまり知られたくない、見られたくない情報の全てがミーメール＋（プラス）のメモリースティックに記録するようにされる。
【０１１２】
（ミーメール＋（プラス）作成済媒体設定ルーチンについて）
次に、図９に示したメモリ・カード設定ルーチンのステップＳ１２４において行われるミーメール＋作成済媒体設定ルーチンについて説明する。図１２、図１３、図１４は、図９のステップＳ１２４で実行されるミーメール＋作成済媒体設定ルーチンを説明するためのフローチャートである。
【０１１３】
既にミーメール＋の記録媒体とされたメモリースティックに対しては、（１）ミーメール＋（プラス）作成、（２）ミーメール＋（プラス）パスワードの有効／無効、（３）ミーメール＋（プラス）パスワードの変更、（４）初期化のいずれをも行うことができるようにされる。
【０１１４】
このため、ミーメール＋作成済媒体設定ルーチンの場合、（１）ミーメール＋（プラス）作成と（４）初期化の各処理は、図１０、図１１を用いて前述したミーメール＋未作成媒体設定ルーチンの場合とほぼ同様に行われる。したがって、図１２、図１３、図１４に示すミーメール＋作成済媒体設定ルーチンにおいても、図１０、図１１に示したミーメール＋未作成媒体ルーチンと同様に行われる処理部分については、同じ参照符号を付し、その部分の詳細な説明は省略することとする。
【０１１５】
この実施の形態のモニタ受像機１００の制御部１７０は、自機に装着されたメモリ・カード１４１が、ミーメール＋作成済メモリースティックである場合には、（１）ミーメール＋（プラス）作成、（２）ミーメール＋（プラス）パスワードの有効／無効、（３）ミーメール＋（プラス）パスワードの変更、（４）初期化の４つの選択項目を全て有効（選択可能）とした図１６に示すメモリ・カード設定画面を表示する（ステップＳ３０１）。
【０１１６】
そして、図１２に示したように、ステップＳ３０１以降の処理は、図１０に示したステップＳ２０２からステップＳ２１５の処理と同様の処理が行うようにされ、ミーメール＋説明画面（図１７）、ミーメール＋作成画面（図１８）を通じてミーメール＋のメモリースティックの作成を行うことができるようにされる。
【０１１７】
この場合、図１０を用いて上述したように、モニタ受像機に装着されたメモリースティックをミーメール＋の記録媒体とすると共に、本体の情報をミーメール＋のメモリースティックにコピーするようにしたり、また、モニタ受像機に装着されたメモリースティックを新規にミーメール＋のメモリースティックにしたりすることができるようにされる。
【０１１８】
また、図１２のステップＳ２０４の判断処理において、使用者によって選択された項目は、ミーメール＋の作成ではないと判断した場合には、この実施の形態のモニタ受像機１００の制御部１７０は、図１３に示す処理に移り、ミーメール＋のパスワードの有効／無効の設定が選択されたか否かを判断する（ステップＳ３１６）。
【０１１９】
ステップＳ３１６の判断処理において、ミーメール＋のパスワードの有効／無効の設定が選択されたと判断したときには、制御部１７０は、図２２に示すミーメール＋のパスワードの入力画面を表示し（ステップＳ３１７）、パスワードの入力を受け付けると共に、「ＯＫ」アイコン１５、「やめる」アイコン１６の選択入力を受け付ける（ステップＳ３１８）。
【０１２０】
そして、制御部１７０は、使用者により「ＯＫ」アイコン１５が選択されたか否かを判断する（ステップＳ３１９）。ステップＳ３１９の判断処理において、「ＯＫ」アイコン１５が選択されたと判断したときには、制御部１７０は、ステップＳ３１７において表示するようにしたミーメール＋のパスワードの入力画面（図２２）を通じて受け付けたパスワードをミーメール＋のメモリースティックに記録（設定）し（ステップＳ３２０）、図２３に示すミーメール＋のパスワードの有効／無効設定画面を表示する（ステップＳ３２１）。
【０１２１】
この後、制御部１７０は、パスワードの有効／無効の入力を受け付けるとともに、「ＯＫ」アイコン１５、「やめる」アイコン１６の選択入力を受け付ける（ステップＳ３２２）。そして、制御部１７０は、使用者により「ＯＫ」アイコン１５が選択されたか否かを判断する（ステップＳ３２３）。ステップＳ３２３の判断処理において、「ＯＫ」アイコン１５が選択されたと判断したときには、制御部１７０は、ステップＳ３２１において表示するようにしたミーメール＋のパスワードの有効／無効設定画面（図２３）を通じて受け付けた設定情報をミーメール＋のメモリースティックに記録（設定）し（ステップＳ３２４）、図１２に示したステップＳ３０１からの処理を繰り返すようにする。
【０１２２】
また、ステップＳ３１９の判断処理、または、ステップＳ３２３の判断処理において、「ＯＫ」アイコン１５ではなく、「もどる」アイコン１６が選択されたと判断したときには、パスワードやパスワードの有効／無効の設定は行わずに、図１２に示したステップＳ３０１からの処理を繰り返すようにする。
【０１２３】
そして、ステップＳ３１６の判断処理において、ミーメール＋のパスワードの有効／無効の設定が選択されていないと判断したときには、図１４に示す処理に進み、ミーメール＋のパスワードの変更が選択されたか否かを判断する（ステップＳ３２５）。ステップＳ３２５の判断処理において、ミーメール＋のパスワードの変更が選択されたと判断したときには、図２４に示すミーメール＋のパスワードの変更画面を表示し（ステップＳ３２６）、使用者からの選択入力を受け付ける（ステップＳ３２７）。
【０１２４】
図２４に示すミーメール＋のパスワードの変更画面においては、変更前パスワードと変更後パスワード、さらに確認のために変更後パスワードの入力を行い、先に設定したパスワードの変更入力を行うようにすることができると共に、「ＯＫ」アイコン１５、「やめる」アイコン１６の選択を受け付けることができるようにされる。
【０１２５】
そして、変更前パスワードの入力が間違っていたり、あるいは、変更後パスワードと確認のための変更後パスワードとが一致していなかったり、あるいは、パスワードの桁数や利用不能な文字が利用されるなどのエラーが生じているか否かを判断し（ステップＳ３２８）、エラーが生じている場合には、エラーを通知するためのメッセージを表示し（ステップＳ３２９）、ステップＳ３２７からの処理を繰り返すようにする。
【０１２６】
ステップＳ３２８の判断処理において、エラーは発生していないと判断したときには、制御部１７０は、「ＯＫ」アイコン１５が選択されたか否かを判断する（ステップＳ３３０）。ステップＳ３３０の判断処理において、「ＯＫ」アイコン１５が選択されたと判断したときには、ミーメール＋のメモリースティックに記録されているパスワードを新たなパスワードに変更するパスワード変更処理を行い（ステップＳ３３１）、この後、図１２に示したステップＳ３０１からの処理を繰り返すようにする。
【０１２７】
また、ステップＳ３２５の判断処理において、ミーメール＋のパスワードの変更は選択されていないと判断したときには、制御部１７０は、図１４のステップＳ２１６からステップＳ２２１に示すように、図１１に示した各処理と同様にして、初期化が選択された場合には、メモリースティックの初期化処理を行って、その他の場合には、何もすることなく、図１２のステップＳ３０１からの処理を繰り返すようにする。
【０１２８】
このように、自機に装着されたメモリ・カードがミーメール＋（プラス）作成済のメモリースティックである場合には、当該メモリースティックをミーメール＋（プラス）のメモリースティックとする処理（ミーメール＋作成処理）、ミーメール＋のパスワードの有効／無効の設定、ミーメール＋のパスワードの変更、メモリースティックの初期化を行うことができるようにされる。
【０１２９】
そして、ミーメール＋（プラス）されたメモリースティックは、電子メールに代表される個人的に利用される情報であって、保護する必要のある情報については、全てミーメール＋（プラス）のメモリースティックに記録され、詳しくは後述もするが、通常のメモリースティックと異なった管理を行うようにし、記録情報に対する安全性を高めることができるようにしている。
【０１３０】
（外部メモリ設定ルーチンについて）
次に、図９に示したメモリ・カード設定ルーチンのステップＳ１２５において行われる外部メモリ設定ルーチンについて説明する。図１５、図９のステップＳ１２５で実行される外部メモリ設定ルーチンを説明するためのフローチャートである。
【０１３１】
この実施の形態のモニタ受像機１００の制御部１７０は、自機に装着されたメモリ・カード１４１が、メモリースティック以外のメモリ・カードである場合には、メモリ・カードの初期化処理だけが実行可能な図１６に示すメモリ・カード設定画面を表示する（ステップＳ５０１）。
【０１３２】
ステップＳ５０１で表示されるメモリ・カード設定画面は、図１６に示すように、本来、（１）ミーメール＋（プラス）作成、（２）ミーメール＋（プラス）パスワードの有効／無効、（３）ミーメール＋（プラス）パスワードの変更、（４）初期化の４つの選択項目を有するものである。しかし、メモリースティック以外のメモリ・カードの場合には、ミーメール＋として利用することができないので、（４）初期化のみの選択が可能なメモリ・カード設定画面をステップＳ５０１において表示することになる。
【０１３３】
そして、制御部１７０は、使用者からの選択入力を受け付け（ステップＳ５０２）、設定一覧アイコン１１の選択を受け付けたか否かを判断する（ステップＳ５０３）。ステップＳ５０３の判断処理において、設定一覧アイコン１１が選択されたと判断したときには、制御部１７０は、この図１５に示す外部メモリ設定ルーチンを終了し、設定一覧、すなわちインデックス画面を表示し、目的とする処理項目を選択することができるようにされる。
【０１３４】
ステップＳ５０３の判断処理において、設定一覧アイコン１１は選択されていないと判断したときには、制御部１７０は、初期化が指示されたか否かを判断する（ステップＳ５０４）。このステップＳ５０４の判断処理において、初期化も指示されていないと判断したときには、制御部１７０は、ステップＳ５０１からの処理を繰り返し、再度、メモリ・カード設定画面を介したユーザの選択入力を行うようにする。
【０１３５】
ステップＳ５０４の判断処理において、初期化が指示されたと判断したときには、制御部１７０は、図２５に示す外部メモリ・カード初期化画面を表示し（ステップＳ５０５）、初期化を行うか否かの選択入力を受け付けると共に、「ＯＫ」アイコン１７、「やめる」アイコン１８、「切換え」アイコン１９を通じての操作を受け付けるようにする（ステップＳ５０６）。
【０１３６】
そして、制御部１７０は、「ＯＫ」アイコンが選択されたか否かを判断する（ステップＳ５０７）。ステップＳ５０７の判断処理において、「ＯＫ」アイコン１７が選択されたと判断したときには、現在装着されている外部メモリ・カードの初期化を実行し（ステップＳ５０８）、その結果を通知して（ステップＳ５０９）、この図１５に示す処理を終了する。
【０１３７】
また、図２５に示した外部メモリ・カード初期化画面において、「切換え」アイコン１９を選択することにより、メモリースティックの初期化を行うように処理を切り換えることができるようにされる。なお、説明を簡単にするため、初期化するメモリ・カードの切り換え処理については、図１５のフローチャートにおいては省略している。
【０１３８】
このように、自機に装着されたメモリ・カードがメモリースティック以外の外部メモリ・カードである場合には、これを初期化し、種々の情報を記憶保持するストレージとして利用することができるようにされる。
【０１３９】
（メモリ・カードの使い分け；図２６〜図２９）
上述のように、この実施の形態のモニタ受像機１００は、メモリースティックとその他のメモリ・カードとをメモリ・カード１４１として用いることができるものであるが、メモリースティックの場合には、プライバシー保護などの観点から厳重に管理する必要のある個人的に利用される重要な種々の情報を記憶保持する特別のメモリ・カードとして用いるミーメール＋と呼ばれるメモリースティックを作成することができる。
【０１４０】
そして、ミーメール＋のメモリースティックの場合には、上述もしたように、電子メールのアカウント情報や電子メールなどの個人的に利用される情報であって、保護する必要のある情報が記録される。このため、ミーメール＋のメモリースティックとそれ以外のメモリ・カードとを使用者が明確に認識することができると共に、ミーメール＋のメモリースティックに記録された情報については、洩れることなく、安全性高く管理できるようにしなければならない。
【０１４１】
そこで、この実施の形態のモニタ受像機１００においては、装着されたメモリ・カードがミーメール＋のメモリースティックかそれ以外かを判別し、その判別結果を使用者に通知する共に、ミーメール＋のメモリースティックについては、モニタ受像機１００からの不用意な取り外しによるデータの破損を防止することができるようにしている。
【０１４２】
図２６は、この実施の形態のモニタ受像機１００においての表示画像の一例を示す図である。この実施の形態のモニタ受像機１００においては、スロット１４２に装着されたメモリ・カードが、ミーメール＋のメモリースティックである場合には、図２６Ａに示すように、装着されたメモリ・カードは、ミーメール＋のメモリースティックであり、ミーメール＋のメモリースティックとしてまだ選択されていないことを示すための表示であるミーメール＋未選択アイコン２１をＬＣＤ１０１の表示画面に表示する。
【０１４３】
このミーメール＋未選択アイコン２１を選択することにより、当該アイコンは例えば反転表示するようにされてミーメール＋選択済アイコン２１Ｘとし、ミーメール＋のメモリースティックが使用するようにされたことを使用者にも明確に通知することができるようにしている。この後、モニタ受像機１００は、装着されたミーメール＋のメモリースティックとして用いるように動作する。
【０１４４】
つまり、上述もしたように、個人的に利用される情報、例えば、電子メール、保存したＷｅｂページ、キャプチャした画像情報、辞書関連情報（学習履歴、予測情報）などの情報を全てミーメール＋のメモリースティックに記録するようにする。また、ミーメール＋のメモリースティックとして使用することが指示された場合には、モニタ受像機１００からの取り外し時における管理を厳重に行って、不用意に取り扱われたり、また、データの破損などを生じさせたりすることがないようにしている。
【０１４５】
また、この実施の形態のモニタ受像機１００においては、スロット１４２に装着されたメモリ・カードが、ミーメール＋のメモリースティックでない場合には、図２６Ｂに示すように、装着されたメモリ・カードは、通常のメモリ・カードであることを示す通常メモリ・カードアイコン２２をＬＣＤ１０１の表示画面に表示する。この通常メモリ・カードアイコン２２は、ミーメール＋未選択アイコン２１とは異なり、単に表示だけであり、選択対象とはされないものである。
【０１４６】
次に、この実施の形態のモニタ受像機１００において行われるメモリ・カード認識処理と、メモリ・カード認識後の処理について説明する。図２７は、メモリ・カード認識処理を説明するためのフローチャートである。この図２７に示す処理は、電源が投入されているモニタ受像機１００にメモリ・カードが装着された場合やメモリ・カードが装着されたまま電源が落とされていたモニタ受像機１００に電源が投入された場合に、制御部１７０において実行される処理である。
【０１４７】
まず、制御部１７０は、装着された、あるいは、装着されているメモリ・カードは、ミーメール＋のメモリースティックか否かを判断する（ステップＳ６０１）。ステップＳ６０１の判断処理において、装着された、あるいは、装着されているメモリ・カードは、ミーメール＋のメモリースティックであると判断した場合には、制御部１７０は、図２６Ａに示したように、ミーメール＋未選択アイコン２１を表示するようにし（ステップＳ６０２）、ミーメール＋未選択アイコン２１に対する使用者からの操作の受け付けを開始し（ステップＳ６０３）、この図２７に示す処理を終了する。
【０１４８】
また、ステップＳ６０１の判断処理において、ステップＳ６０１の判断処理において、装着された、あるいは、装着されているメモリ・カードは、ミーメール＋のメモリースティックではないと判断した場合には、図２６Ｂに示したように、通常メモリ・カードアイコン２２を表示し（ステップＳ６０４）、この図２７に示す処理を終了する。
【０１４９】
そして、図２７に示した処理のステップＳ６０３において、ミーメール＋未選択アイコン２１に対する使用者からの操作の受け付けが開始されたことに伴い、制御部１７０においては、例えば、図２８に示すミーメール＋使用ルーチンが、所定のタイミング毎に実行される。
【０１５０】
図２８に示すミーメール＋使用ルーチンは、装着された、あるいは、装着されているメモリ・カードがミーメール＋のメモリースティックである場合に、ミーメール＋未選択アイコン２１が表示され、これが選択されてミーメール＋のメモリースティックを使用するようにするか否かを確定するようにするための処理である。
【０１５１】
図２８に示すミーメール＋使用ルーチンにおいては、まず、ミーメール＋未選択アイコン２１が使用者により選択されたか否かを判断する（ステップＳ７０１）。ステップＳ７０１の判断処理において、ミーメール＋未選択アイコン２１に対する選択がまだないと判断した場合には、この図２８に示す処理を終了し、次に実行タイミングにおいて実行されるまで動作はしないようにされる。
【０１５２】
また、ステップＳ７０１の判断処理において、ミーメール＋未選択アイコン２１が選択するようにされたと判断したときには、ミーメール＋未選択アイコン２１に対する受け付けを終了させる（ステップＳ７０２）。つまり、このステップＳ７０２の処理は、図２８に示した処理の所定タイミング毎の繰り返しての実行を終了させるようにするものである。
【０１５３】
そして、制御部１７０は、ミーメール＋のメモリースティックが利用するように選択されたことを示すミーメール＋選択済みアイコン２１Ｘを表示する（ステップＳ７０３）。ここで、ミーメール＋選択済みアイコン２１Ｘは、例えば、ミーメール＋未選択アイコン２１を例えば反転表示させ、既に選択されていることが明確にわかるようにしたものである。
【０１５４】
そして、制御部１７０は、使用するようにされたミーメール＋のメモリースティックは、パスワードの使用が有効とされたものか否かを判断する（ステップＳ７０４）。ステップＳ７０４の判断処理において、パスワードの使用が有効とされていると判断した場合には、制御部１７０は、パスワード入力画面を表示し（ステップＳ７０５）、パスワードの入力を受け付ける（ステップＳ７０６）。
【０１５５】
そして、ミーメール＋のメモリースティックの使用を中止するようにするための「やめる」アイコンが選択されたか否かを判断する（ステップＳ７０７）。ステップＳ７０７の判断処理において、「やめる」アイコンが選択されたと判断したときには、ミーメール＋未選択アイコン２１を表示し（ステップＳ７０８）、ミーメール＋未選択アイコンに対する入力の受け付けを開始する（ステップＳ７０９）。そして、この図２８に示す処理を終了する。
【０１５６】
ステップＳ７０７の判断処理において、「やめる」アイコンが選択されていないと判断し場合には、ステップＳ７０６で受け付けたパスワードと、ミーメール＋のメモリースティックに設定されているパスワードとが一致したか否かを判断し（ステップＳ７１０）、一致していないと判断したときには、一致していない旨を通知して（ステップＳ７１１）、ステップＳ７０６からの処理を繰り返す。
【０１５７】
ステップＳ７１０の判断処理において、パスワードが一致していると判断したときには、ミーメール＋モード、すなわち、個人的に利用される情報であって、記録するようにされた情報については、全てミーメール＋のメモリースティックに記憶するようにするモードに遷移し（ステップＳ７１２）、ミーメール＋モードを抜けるために、ミーメール＋選択済みアイコン２１Ｘに対する受け付けを開始するようにし（ステップＳ７１３）、この図２８に示す処理を終了する。
【０１５８】
また、ステップＳ７０４の判断処理において、ミーメール＋のメモリースティックにはパスワードが設定されていないと判断したときには、即座にステップＳ７１２の処理に進み、ミーメール＋モードに遷移するようにされる。
【０１５９】
このようにして、図２６Ａに示したミーメール＋未選択アイコン２１が選択された場合に、ミーメール＋モードされ、個人的に利用される情報がミーメール＋のメモリースティックに記録され、このメモリースティックを取り外すことにより、共有者には、自分の利用した情報を知られないようにすることができる。
【０１６０】
そして、図２８に示したステップＳ７１３の処理において、ミーメール＋選択済アイコン２１Ｘに対する使用者からの操作の受け付けが開始されたことに伴い、制御部１７０においては、例えば、図２９に示すミーメール＋確認ルーチンが、所定のタイミング毎に実行される。
【０１６１】
図２９に示すミーメール＋確認ルーチンは、使用するようにされたミーメール＋のメモリースティックの使用を中止し、安全に取り出せるようにするためのいわゆる確認処理である。図２９に示すミーメール＋確認ルーチンにおいては、まず、ミーメール＋選択済アイコン２１Ｘが使用者により選択されたか否かを判断する（ステップＳ８０１）。
【０１６２】
ステップＳ８０１の判断処理において、ミーメール＋選択済アイコン２１Ｘに対する選択がまだないと判断した場合には、ミーメール＋のメモリースティックがモニタ受像機１００から取り出されたか否かを判断する（ステップＳ８０２）。ステップＳ８０２の判断処理において、メモリースティックは取り出されていないと判断したときには、この図２９に示す処理を終了する。
【０１６３】
ステップＳ８０２の判断処理において、ミーメール＋のメモリースティックがモニタ受像機１００から取り出されていないと判断したときには、取り出されたミーメール＋のメモリースティックに対してデータの書き込みを行っていたか否かを判断する（ステップＳ８０３）。
【０１６４】
ステップＳ８０３の判断処理において、取り出された時点においてはデータの書き込みは行われていなかったと判断した場合には、データが破損している可能性は低いので、ミーメール＋のメモリースティックをモニタ受像機１００に戻し、ミーメール＋のメモリースティックの使用を終了するようにした後に取り出すように警告するメッセージ１を表示あるいは音声により出力し（ステップＳ８０４）、取り出されたミーメール＋のメモリースティックの再装着を確認して（ステップＳ８０５）、この図２９に示す処理を終了する。
【０１６５】
また、ステップＳ８０３の判断処理において、取り出された時点においてデータの書き込みが行われていたと判断した場合には、データが破損している可能性があるが、まず、ミーメール＋のメモリースティックをモニタ受像機１００に戻し、ミーメール＋のメモリースティックの使用を終了するようにした後に取り出すように警告すると共に、再装着するか、そのまま終了するか否かの確認入力を求めるメッセージ２を表示あるいは音声により出力する（ステップＳ８０６）。
【０１６６】
そして、使用者からの操作入力を受け付け（ステップＳ８０７）、「やめる」アイコンが選択されたか否かを判断する（ステップＳ８０８）。ステップＳ８０８の判断処理において、「やめる」アイコンは選択されていないと判断したときには、再装着が選択されたと判断し、再装着を確認して（ステップＳ８０９）、この図２９に示す処理を終了する。この用にすることにより、ミーメール＋のメモリースティックの使用をできるだけ正常に終了させるようにして、ミーメール＋のメモリースティックに記憶されたデータが破損することがないように保護することができるようにしている。
【０１６７】
また、ステップＳ８０８の判断処理において、「やめる」アイコンが選択されたと判断したときには、ミーメール＋のメモリースティックに記憶されているデータが破損している可能性があることを通知するメッセージを表示するなどの所定の終了処理を行い（ステップＳ８１０）、この図２９に示す処理を終了する。
【０１６８】
図２６〜図２９を用いて説明したように、ミーメール＋のメモリースティックが、この実施の形態のモニタ受像機１００に装着された場合には、ミーメール＋未選択アイコン２１が表示され、このミーメール＋未選択アイコン２１が使用者によって選択されるまでは、ミーメール＋のメモリースティックとして認識されず、このミーメール＋未選択アイコン２１が使用者によって選択された場合に、ミーメール＋のメモリースティックと認識されて、個人的に利用される保護すべき情報であって、記憶保持する必要のある情報の全てが、ミーメール＋のメモリースティックに記憶するようにされる。これにより、使用者は、ミーメール＋のメモリースティックを利用する場合に、これを意識し、通常のメモリースティックと間違えることがないようにされる。
【０１６９】
また、ミーメール＋未選択アイコン２１が選択された後においては、装着されたメモリースティックがミーメール＋のメモリースティックであるとモニタ受像機１００において認識され、ミーメール＋選択済みアイコン２１Ｘが使用者により選択され、ミーメール＋のメモリースティックの使用が終了するようにされるまで、ミーメール＋のメモリースティックが取り出された場合に、警告を出し、ミーメール＋のメモリースティックに記憶されたデータの破損することがないように、保護することができるようにしている。
【０１７０】
また、ミーメール＋のメモリースティックを用いるようにした場合には、個人的に利用する情報であって、保護すべき種々のデータは、ミーメール＋のメモリースティックに記憶保持するようにされるので、当該ミーメール＋のメモリースティックを使用者が適切に管理するようにすれば、モニタ受像機１００を複数人で共有（共用）するようにした場合であっても、知られたくない情報が他の共有者に知られてしまうなどの不都合を完全に防止し、共有者各人にとって、１台のモニタ受像機を自分専用のものとして利用することができる。
【０１７１】
また、上述の説明からも分かるように、上述した実施の形態においては、メモリ・カード１４１が外部記録媒体に相当し、スロット１４２が外部記録媒体であるメモリ・カードの装填部に相当する。また、ミーメール＋のメモリースティックが、個人専用媒体に相当している。
【０１７２】
また、上述した実施の形態においては、判別手段は制御部１７０が実現し、個人専用媒体作成手段は、制御部１７０およびスロット１４２が協働することにより実現し、通知手段は制御部１７０とＬＣＤ１０１とが協働することにより実現するようにしている。さらに、受付手段は、タッチパネル１０３と座標検出部１９３、および、操作部１０９とインタフェース１９９とが実現し、制御手段は、制御部１７０が実現するようにしている。
【０１７３】
なお、上述した実施の形態においては、ミーメール＋未選択アイコン２１とミーメール＋選択済アイコン２１Ｘとは、基本的に同じものであり、ミーメール＋未選択アイコン２１が選択された場合には、これが反転表示することでミーメール＋選択済アイコン２１Ｘとし、ミーメール＋選択済アイコン２１Ｘが選択された場合には、これを反転表示することで、ミーメール＋未選択アイコンとするようにした。しかし、これに限るものではない。
【０１７４】
例えば、スロット１４２に装着されたメモリ・カードが、ミーメール＋のメモリースティックである場合には、これを通知するためのミーメール＋未選択表示を行うようにし、ミーメール＋のメモリースティックを利用することの入力を受け付けるソフトウエアボタンスイッチ、あるいは、ハードウエアボタンスイッチを設けて、それらに対する操作を受け付けた場合に、ミーメール＋未選択表示に換えて、ミーメール＋のメモリースティックが使用するようにされたことを示すミーメール＋選択済表示を行うようにしてもよい。
【０１７５】
そして、ミーメール＋のメモリースティックの利用の終了することの入力を受け付けるソフトウエアボタンスイッチ、あるいは、ハードウエアボタンスイッチを設けて、それらに対する操作を受け付けた場合に、ミーメール＋選択済表示に換えて、ミーメール＋のメモリースティックが使用するようにされていないことを示すミーメール＋未選択表示を行うようにしてもよい。
【０１７６】
すなわち、スロットに装着されたメモリ・カードがミーメール＋のメモリースティックか否を示す表示と、ミーメール＋のメモリースティックの使用／未使用を切り換えるための操作手段とは、それぞれ別個に設けるようにすることができる。
【０１７７】
また、ミーメール＋未選択表示やミーメール＋選択済表示は、図２６に示したようなアイコン表示ではなく、例えば、表示画面の背景の色を異ならせたり、表示画面の縁の部分の色を異ならせたりするなどの種々の対応を取ることが可能である。また、音声により、ミーメール＋未選択状態か、ミーメール＋選択済状態かを通知するようにすることも可能である。この場合には、制御部１７０が音声メッセージを形成し、Ｄ／Ａコンバータ１９５、アンプ１９６、スピーカ１０６を通じて出力するようにすればよい。
【０１７８】
また、上述した実施の形態においては、個人的に利用する情報であって、保護すべき種々のデータを記憶する特別なメモリ・カード（ミーメール＋のメモリ・カード）として利用可能なものは、メモリースティックに限るようにしたが、他のメモリ・カードについても個人的に利用する情報であって、保護すべき種々のデータを記憶する特別なメモリ・カードとして利用するようにすることも可能である。
【０１７９】
また、前述した実施の形態においては、ネットワークへの接続をも実現するシステムのモニタ受像機にこの発明を適用するものとして説明したが、これに限るものではない。例えば、パーソナルコンピュータや、ワードプロセッサ、ＰＤＡ（Personal Digital Assistants）、携帯電話端末等の種々の電子機器にこの発明を適用することができる。
【０１８０】
すなわち、通信機能を備えることは必須の条件ではない。複数人で共有される可能性のある電子機器であって、個人的に利用される情報であって、共有者に見られたり、利用されたりすることがないように、保護する必要のある情報を外部記録媒体に記録することが可能な電子機器にこの発明を適用することができる。
【図面の簡単な説明】
【０１８１】
【図１】この発明による電子機器の実施形態としてのモニタ装置の一例を示す図である。
【図２】モニタ装置と無線接続されるベース装置の一例の正面および側面を示す図である。
【図３】モニタ装置と無線接続されるベース装置の一例の背面を示す図である。
【図４】モニタ装置をスタンドによって自立させた状態を示す図である。
【図５】ベース装置の機能ブロック構成の一例を示す図である。
【図６】モニタ装置の機能ブロック構成の一例を示す図である。
【図７】モニタ装置の動作を説明するためのフローチャートの一部を示す図である。
【図８】図７の続きのフローチャートを示す図である。
【図９】メモリ・カードの設定ルーチンを説明するためのフローチャートである。
【図１０】ミーメール＋未作成媒体設定ルーチンを説明するためのフローチャートである。
【図１１】図１０に続くフローチャートである。
【図１２】ミーメール＋作成済媒体設定ルーチンを説明するためのフローチャートである。
【図１３】図１２の続きのフローチャートの一部を示す図である。
【図１４】図１２の続きのフローチャートの一部を示す図である。
【図１５】外部メモリ設定ルーチンを説明するためのフローチャートである。
【図１６】メモリ・カード設定画面の例を示す図である。
【図１７】ミーメール＋の説明画面の例を示す図である。
【図１８】ミーメール＋の作成画面の例を示す図である。
【図１９】メモリースティックの初期化時の表示画面の例を示す図である。
【図２０】ホーム設定画面の例を示す図である。
【図２１】電子メール基本設定画面の例を示す図である。
【図２２】パスワードの入力画面の例を示す図である。
【図２３】パスワードの有効／無効の設定画面の例を示す図である。
【図２４】パスワードの変更画面の例を示す図である。
【図２５】メモリ・カードの初期化時の表示画面の例を示す図である。
【図２６】ミーメール＋未選択アイコン、ミーメール＋選択済アイコンの表示例を示す図である。
【図２７】メモリ・カード認識ルーチンを説明するためのフローチャートである。
【図２８】ミーメール＋使用ルーチンを説明するためのフローチャートである。
【図２９】ミーメール＋確認ルーチンを説明するためのフローチャートである。
【符号の説明】
【０１８２】
１００…モニタ装置、１７０…制御部、１７１…ＣＰＵ、１７２…ＲＯＭ、１７３…ＲＡＭ、１４１…メモリ・カード、１４２…スロット、１０１…ＬＣＤ、１９１…表示制御部、１０３…タッチパネル、１９３…座標検出部、１０９…操作部、１９９…インタフェース
【図１】
2005173826.tif 000003
【図２】
2005173826.tif 000004
【図３】
2005173826.tif 000005
【図４】
2005173826.tif 000006
【図５】
2005173826.tif 000007
【図６】
2005173826.tif 000008
【図７】
2005173826.tif 000009
【図８】
2005173826.tif 000010
【図９】
2005173826.tif 000011
【図１０】
2005173826.tif 000012
【図１１】
2005173826.tif 000013
【図１２】
2005173826.tif 000014
【図１３】
2005173826.tif 000015
【図１４】
2005173826.tif 000016
【図１５】
2005173826.tif 000017
【図１６】
2005173826.tif 000018
【図１７】
2005173826.tif 000019
【図１８】
2005173826.tif 000020
【図１９】
2005173826.tif 000021
【図２０】
2005173826.tif 000022
【図２１】
2005173826.tif 000023
【図２２】
2005173826.tif 000024
【図２３】
2005173826.tif 000025
【図２４】
2005173826.tif 000026
【図２５】
2005173826.tif 000027
【図２６】
2005173826.tif 000028
【図２７】
2005173826.tif 000029
【図２８】
2005173826.tif 000030
【図２９】
2005173826.tif 000031